(57)【要約】【課題】  耐火性に優れ、高い断熱効果を発揮することができ、簡単な加工によって低コストで量産可能な部品を組合わせて確実に耐火性及び断熱効果を発揮できる建造物の耐火性外壁構造を提供すること。【解決手段】  略コ字形状の突設部１３と挟持片１４を形成したパネル部材１１、１２を設け、この挟持片１４を重ね合わせて一対に組合わせて外装体１０を構成する。外装体１０の内部に芯材２０を内装し、相隣れる外装体１０同士の突設部１３を所定の間隙Ａをもって連設して双方の外装体端部１３ａ、１３ａで取付スペースＳを設ける。取付スペースＳの外装体１０の巾方向内周面に接続部材２５、３５を係合し、接続部材２５、３５の棒状部材２６、３６を間隙Ａより突出させ、間隙Ａを遮蔽する遮蔽部材３０を介して棒状部材２６、３６の先端ねじ部２６ａ、３６ａをナット３２で結合固定した建造物の耐火性外壁構造である。【選択図】      図１
0003114716.tif 000002
【実用新案登録請求の範囲】
【請求項１】
鋼製の長尺状薄板材の両端部を曲折して略コ字形状の突設部とこの突設部から外側に曲折して挟持片を形成したパネル部材を設け、このパネル部材を前記挟持片を重ね合わせて一対に組合わせて外装体を構成し、この外装体の内部に断熱性を有する芯材を内装すると共に、この外装体の突設部と相隣れる外装体の突設部とを所定の間隙をもって連設して双方の外装体端部で取付スペースを設け、この取付スペースの外装体の巾方向内周面に接続部材を係合し、この接続部材の棒状部材を前記間隙より突出させ、前記間隙を遮蔽する遮蔽部材を介して前記棒状部材の先端ねじ部をナットで結合固定したことを特徴とする建造物の耐火性外壁構造。
【請求項２】
前記棒状部材のねじ部の他端側に止着部とこの止着部の端部に係止部を設け、この棒状部材を取付ける取付部材に設けた装入穴に、前記止着部を回転不能に固着した請求項１記載の建造物の耐火性外壁構造。
【請求項３】
前記挟持片の重合部分の間にセラミックペーパー等の断熱材を挟着した請求項１又は２に記載の建造物の耐火性外壁構造。
【請求項４】
前記挟持片の重合部分を所定間隔で千鳥状にポップリベットで接合した請求項１乃至３の何れか１項に記載の建造物の耐火性外壁構造。
【請求項５】
前記取付スペース内に断熱部材を内装した請求項１乃至４の何れか１項に記載の建造物の耐火性外壁構造。
【請求項６】
前記棒状部材と突設部との間に断熱体を介在させた請求項１乃至５の何れか１項に記載の建造物の耐火性外壁構造。
【請求項７】
前記接続部材の取付部材を前記外装体の取付スペース内部に当接させ、前記接続部材の棒状部材を遮蔽部材を介して胴縁に貫通させ、前記棒状部材のおねじにナットで螺着してこの胴縁に固定した請求項２乃至６の何れか１項に記載の建造物の耐火性外壁構造。
【請求項８】
前記外装体にフレームを固着し、このフレームに直交する鉤部を上向きにしたレールを固着し、このレールの鉤部に掛設可能な溝部を有する外壁パネルを掛設して外壁面を構築した請求項１乃至７の何れか１項に記載の建造物の耐火性外壁構造。
【考案の詳細な説明】
【技術分野】
【０００１】
本考案は、建築用外装体を用いた建造物の耐火性外壁構造に関する。
【背景技術】
【０００２】
従来より、建築物の壁面等を施工するために用いられている木製の建築用外装パネルに代わる新しい外装パネルとして、スチール鋼板、アルミニウム、及びステンレス等の板材を材料とした外装パネルがある。これらの外装パネルは、板材の内部に樹脂や発泡材などを充填する等の加工が施されている。
外装パネルを施工する場合には、例えば、隣接する外装パネル同士の側部付近を重合可能な形状に予め設けておき、この外装パネル同士を直接接合するか、或は、外装パネル同士を接続するための接合部材を設け、この接合部材を介して隣接する外装パネルを接合することで壁面などを構築するようにしている。
【０００３】
このような外装パネルの連結固定構造として、例えば、金属サンドイッチパネル同士を、金属サンドイッチパネルの幅方向の両側の長手方向と平行な側端部に設けた第一係合部と第二係合部とを係合させると共に、第一係合部と第二係合部の裏面側に設けた突出し部を横断面が略Ｈ形状を成す補強材の両溝内にそれぞれ挿入するようにした金属サンドイッチパネルの連結固定構造がある（例えば、特許文献１参照。）。
【０００４】
また、二枚の金属外皮間に耐火芯材を充填させた断熱耐火パネルの接続構造であって、パネルを接続する接続側の端部に、表面側の金属外皮の端片が耐火芯材の側端面に対向するように接続片として折り曲げられ、接続片と耐火芯材の側端面間に隙間が形成され、接続される断熱耐火パネルがその側端面間に間隔を隔てて下地材に固定され、断面略Ｕ字状で耐火材から形成された長尺な接続具の両側の脚片が断熱耐火パネルの側端の隙間に挿入され、断熱耐火パネルの対向する接続片間で接続具に至って目地材が充填され、接続具と下地材との間には断熱材を充填した断熱耐火パネルの接続構造がある（例えば、特許文献２参照。）。
【特許文献１】特開２００３−２７７０５号公報
【特許文献２】特許第３０２１３０４号公報
【考案の開示】
【考案が解決しようとする課題】
【０００５】
しかしながら、特許文献１の金属サンドイッチパネルの連結固定構造は、表面金属外皮と裏面金属外皮とによって金属サンドイッチパネルを構成し、このパネルに断熱効果を持たせるために、表面金属外皮と裏面金属外皮の両端部にパネル同士を接合するための形状の異なる係合部や突出し部を設けており、この係合部や突出し部によって表面金属外皮、裏面金属外皮がそれぞれ異なった形状となっている。このように、金属サンドイッチパネルを構成するために２種類の金属外皮が必要になっていた。各金属外皮を製造する過程においては、各金属外皮は複雑な形状を呈しているため曲げによる加工の工程が多くなり、加工工程が複雑化することでコストがかかるという問題もあった。
【０００６】
特許文献２の断熱耐火パネルの接続構造においても、表面側の金属外皮の端片が接続片として折り曲げられているため、表裏側において形状の異なる金属外皮を形成する必要があった。しかも、金属外皮は折り曲げ片が小さく、各断熱耐火パネル端面側にパネルによる被覆が殆どされていないため、接続する断熱耐火パネル間の断熱構造が十分であるとはいえず、また、この端部側の接続構造は強度的にも問題があった。
更に、断熱耐火パネル同士を上下方向に接合する接合面に関しては、この接続面が互いに形状の異なる複雑な形状であるため、端部面を製作する際に複雑な曲げ加工が必要になって加工工程が複雑化するという問題があった。
【０００７】
本考案は、上記従来の課題に鑑みて鋭意検討の結果開発に至ったものであり、その目的とするところは、耐火性に優れ、高い断熱効果を発揮することのできる建造物の耐火性外壁構造であり、簡単な加工によって低コストで量産可能な部品を組合わせて確実に耐火性及び断熱効果を発揮できる建造物の耐火性外壁構造を提供することにある。
【課題を解決するための手段】
【０００８】
上記の目的を達成するために、請求項１に係る考案は、鋼製の長尺状薄板材の両端部を曲折して略コ字形状の突設部とこの突設部から外側に曲折して挟持片を形成したパネル部材を設け、このパネル部材を挟持片を重ね合わせて一対に組合わせて外装体を構成し、この外装体の内部に断熱性を有する芯材を内装すると共に、この外装体の突設部と相隣れる外装体の突設部とを所定の間隙をもって連設して双方の外装体端部で取付スペースを設け、この取付スペースの外装体の巾方向内周面に接続部材を係合し、この接続部材の棒状部材を間隙より突出させ、間隙を遮蔽する遮蔽部材を介して棒状部材の先端ねじ部をナットで結合固定した建造物の耐火性外壁構造である。
【０００９】
請求項２に係る考案は、棒状部材のねじ部の他端側に止着部とこの止着部の端部に係止部を設け、この棒状部材を取付ける取付部材に設けた装入穴に、止着部を回転不能に固着した建造物の耐火性外壁構造である。
【００１０】
請求項３に係る考案は、挟持片の重合部分の間にセラミックペーパー等の断熱材を挟着した建造物の耐火性外壁構造である。
【００１１】
請求項４に係る考案は、挟持片の重合部分を所定間隔で千鳥状にポップリベットで接合した建造物の耐火性外壁構造である。
【００１２】
請求項５に係る考案は、取付スペース内に断熱部材を内装した建造物の耐火性外壁構造である。
【００１３】
請求項６に係る考案は、棒状部材と突設部との間に断熱体を介在させた建造物の耐火性外壁構造である。
【００１４】
請求項７に係る考案は、接続部材の取付部材を外装体の取付スペース内部に当接させ、接続部材の棒状部材を遮蔽部材を介して胴縁に貫通させ、棒状部材のおねじにナットで螺着してこの胴縁に固定した建造物の耐火性外壁構造である。
【００１５】
請求項８に係る考案は、外装体にフレームを固着し、このフレームに直交する鉤部を上向きにしたレールを固着し、このレールの鉤部に掛設可能な溝部を有する外壁パネルを掛設して外壁面を構築した建造物の耐火性外壁構造である。
【考案の効果】
【００１６】
請求項１に係る考案によると、外装体の内部に芯材を内装しながらこの外装体同士を強固に隙間無く接合することにより耐火性に優れ、高い断熱効果を発揮することのできる建造物の耐火性外壁構造であり、１種類の形状のパネル部材を一対に組合わせることで外装体を構成できるためパネル部材の部品点数を半減できる。パネル部材は、形状が単純であるため複雑な加工を施すことなく簡単な曲げ加工などにより容易に形成することができ、例えば、ローラを用いた圧延加工によって簡単に形成することもでき、生産性を高めることができる。これにより加工工程の効率を高めることもでき、これらの低コストで量産化できる部品を組合わせて確実に耐火性及び断熱効果を発揮できる建造物の耐火性外壁構造を提供することができる。また、遮音性や耐久性にも優れた建造物の耐火性外壁構造である。
【００１７】
請求項２に係る考案によると、接続部材を低コストで簡単に設けることができ、この接続部材によって外装体同士を接合したときには強固に接合でき、接合後に自然に外れたりするのを確実に防止することができる建造物の耐火性外壁構造である。
【００１８】
請求項３に係る考案によると、外装体を構成する外装パネル同士の隙間をシールして断熱性や遮音性を高めることができ、この外装体に内装した芯材への炎の侵入を防いで耐火性を向上することもできる建造物の耐火性外壁構造である。
【００１９】
請求項４に係る考案によると、パネル部材同士を強固に接合して外装体を形成することができ、少ない接合部分によって効率良く接合することができる建造物の耐火性外壁構造である。
【００２０】
請求項５に係る考案によると、隣接する外装体の断熱性を高めると共に、この断熱材が外装体内部に効果的に内装されて極めて高い耐火性を発揮できる建造物の耐火性構造である。
【００２１】
請求項６に係る考案によると、隣接する外装体同士の間隙を埋めるように密封シールでき、断熱性や耐火性を一層高めることができる建造物の耐火性構造である。
【００２２】
請求項７に係る考案によると、胴縁を利用して簡単に外装体同士を接合できる建造物の耐火性外壁構造であり、外壁を構成するためにわざわざ別の取付部位を施工する必要がなく、コストも抑えることができる建造物の耐火性外壁構造である。
【００２３】
請求項８に係る考案によると、外装体の外側に別の外壁面を設けることができ、この外壁面は取付けが容易であり、外壁面の一部分のみを交換することもできる建造物の耐火性外壁構造である。また、外壁面を構成する外壁パネルは、押出成形、或は引抜成形によって安価に大量生産することができる。
更には、この外壁面をタイルで構築することにより、より一層装飾性を向上させることもできる。
【考案を実施するための最良の形態】
【００２４】
本考案における建造物の耐火性外壁構造の一実施形態を図面に従って説明する。
図１において、パネル部材１１、１２は、鋼製の長尺状薄板材であり、図２に示すように、その両端部を曲折して略コ字形状の突設部１３、１３を表裏側に設け、この突設部１３からさらに外側に曲折して挟持片１４を形成している。
図２に示すように、表裏面側のパネル部材１１、１２は同一の部材であり、このように１種類のパネル部材を一対に組合わせて枠体状の外装体１０を構成している。パネル部材１１、１２には、図示しないが、例えば、亜鉛メッキを施した後に表面に結露防止剤を塗布している。
【００２５】
外装体１０の内部には、断熱性を有する材料によってプレート状に形成した芯材２０を積層状態で内装し、挟持片１４、１４を重ね合わせるように組合わせた状態でこの挟持片１４、１４の重合部分を図２、図９に示すようにパネル部材１１、１２の縦方向において所定間隔で千鳥状にリベット１５によって接合している。このリベット１５は、特にポップリベットを用いることにより、片側締結によってスピーディーに確実に接合することができ、熟練を要することなく簡単に接合できるが、通常のリベットを用いるようにしてもよく、また、ボルトナットで固着するようにしてもよい。挟持片１４、１４の重合部分には、例えば、セラミックペーパー等の断熱材２１を挟着している。
また、図示しないが、パネル部材の上からスクリューネジを用いて縦方向に５〜６ヶ所程度締付け固定し、これを長手方向に適宜の列数により設ければパネル部材に対して芯材２０がずれ落ちるのを防ぎ、外装体として一体化できる。
【００２６】
図６に示すように、接続部材２５、３５の各棒状部材２６、３６には、それぞれおねじ（先端ねじ部）２６ａ、３６ａを形成し、また、他端部位には略矩形状の止着部２７、３７を設け、更に、この止着部２７、３７の先端側には円形状の係止部２８、３８を設けている。
取付部材２９は、略矩形状で浅い容体状に設け、略中央部位に止着部２７、３７が止着可能な矩形状の装入穴２９ａを設け、この装入穴２９ａに対して各棒状部材２６、３６をおねじ２６ａ、３６ａの側からそれぞれ装入して装入穴２９ａに止着部２７、３７を止着させると、棒状部材２６、３６は取付部材２９に対して回転不能に固着できると共に、係止部２８、３８によって棒状部材２６、３６が挿入方向に取外しできないようになっている。
各接続部材２５、３５は、棒状部材２６、３６の長さが互いに異なるように形成したものであり、棒状部材２６、３６は、外装体１０の厚さ、或は胴縁１６を構成するパイプの寸法等に応じて任意の長さに形成することができる。取付部材２９は、２６、３６の何れの棒状部材と組合わせても使用することができる。
【００２７】
遮蔽部材３０は鋼製によって形成し、外装体１０と略等しい高さに設けており、この遮蔽部材３０は、図３に示すように断面略波形状に形成し、後述の隣接する外装体１０同士の間隙Ａを塞ぐようにして壁面の外側と内側から遮蔽するようにしている。
【００２８】
胴縁１６は、建造物１の外壁２の枠組を構成したものであり、この胴縁１６は断面略矩形状に形成し、水平方向に並設した横パイプ１７と垂直方向に並設した縦パイプ１８を組合わせて構築している。
図８に示すように、胴縁１６の横パイプ１７と縦パイプ１８が交叉する箇所においては、断面コ字形状の固定金具１９を縦パイプ１８にボルト・ナット２４を用いて取付けている。固定金具１９は、縦パイプ１８の両側に一対に取付けられ、これにより、縦パイプ１８の両側から横パイプ１７が取付け可能となる。各固定金具１９に対して横パイプ１７を挿入して固着したときには、横パイプ１７が縦パイプ１８と同一面上に配設されるため、胴縁１６がパイプ２本分の厚さになることがなく、パイプ１本分の薄さでこの胴縁１６を構築できる。このため、接続部材２５において、胴縁１６側の前記の棒状部材２６の長さを２種類準備する必要がなく、１種類の接続部材２５を用いて胴縁１６側から固定可能としている。
本例においては、縦パイプ１８に接続部材２５を取付けるようにしており、これにより、縦の梁である縦パイプ１８に外装体１０を支承する力が加わるため、高い強度の壁面を構築している。この接続部材２５による取付けは、必要に応じて横パイプ１７に対して行うようにしてもよい。
【００２９】
最端部側の横パイプ１７は、図４に示すように、その端部付近を建造物１を支えるための支柱３に固定された固定金具１９にボルト・ナット２４で固着されている。
更に、この支柱３には、図７に示すように装飾用の内装材４を貼着した板状部材５を接着等の手段で固着して建造物１内の密封性を保つような壁面を構成している。板状部材５は、棒状部材２６の先端に接触するように設け、施工後にぐらつかないようにしている。
【００３０】
外装体１０、１０同士を接合する際には、一方の外装体１０の突設部１３と相隣れる外装体１０の突設部１３とを所定の間隙Ａをもって連設し、双方の突設部１３、１３の端部１３ａ、１３ａで取付スペースＳを設ける。
この取付スペースＳの外装体１０の巾方向内周面に外装体１０の表裏面側から接続部材２５、３５の取付部材２９、３９を係合し、接続部材２５、３５の棒状部材２６、３６を間隙Ａより突出させ、この間隙Ａを遮蔽する遮蔽部材３０を介して先端ねじ部２６ａ、３６ａをナット３２のめねじ３２ａに螺合して結合固定している。
【００３１】
取付スペースＳ内の取付部材２９、２９の間には、断熱部材２２を挟着した状態で内装し、また、一方側の取付部材２９の締付けによって生じるこの取付部材２９と突設部１３との間の空間には、断熱性を有する間隙部材２３を挟着している。これにより、取付スペースＳ内の空間を埋め、また、接続部材２５、３５を締付けたのちに緩みのない状態で外装体１０、１０同士を接合することが可能となる。
また、棒状部材２６、３６と突設部１３との間には断熱体３３を介在させており、この断熱体３３によって隣接する外装体１０、１０の表裏面側の隙間を塞いでいる。
【００３２】
芯材２０、断熱部材２２、間隙部材２３及び断熱体３３は、何れも不燃性の材料からなり、例えば、軽量かつ耐水性を有して加工容易なセラミックウール、或は、粉末状の炭酸カルシウム、けい酸カルシウムなどを原料として凝固させ、高い断熱性と耐火性、及び遮音性を有している。また、断熱材２１についても、セラミックペーパー以外の上記の材料を用いて形成するようにしてもよい。
【００３３】
図１〜図５において、建築物の壁面を胴縁に対して構築する際の手順を説明する。
先ず、予めパネル部材１１、１２の内部に芯材２０を内装させた状態で挟持片１４、１４の間に断熱材２１、２１を挟着させ、挟持片１４、１４をリベット接合して外装体１０を構成しておく。
胴縁１６には、外装体１０の取付け位置に適宜の工具で孔１６ａを設けておき、この孔１６ａに外装体１０の側から接続部材２５の棒状部材２６を挿入する。挿入時には、遮蔽部材３０に設けた取付穴３０ａ、続けて孔１６ａに対して挿入した後にワッシャ３１を取り付け、棒状部材２６のおねじ２６ａにナット３２を螺着して接続部材２５を胴縁１６に仮止めする。
【００３４】
胴縁１６側（建造物１の内壁側）の接続部材２５の取付部材２９を隣接させた外装体１０、１０の取付スペースＳ内部の突設部１３側に当接させ、更に、外装体１０の外壁側において、接続部材３５の取付部材２９を間隙部材２３を介在させながら断熱部材２２の方向に押圧した状態にして接続部材２５の棒状部材２６を遮蔽部材３０と断熱体３３を介して胴縁１６に貫通させ、接続部材３５とナット３２間に遮蔽部材３０と断熱体３３を介在させて各棒状部材２６、３６のおねじ２６ａ、３６ａにナット３２を螺着して胴縁１６に固定していると共に、外装体１０、１０同士を接合して建築物１の外壁２を構築する。
断熱部材２２は、上記したように接続部材２５、３５の取付部材２９、２９同士の間に挟持させるようにすることで、取付部材２９、２９同士の間に生じる隙間を埋めると共に、接続部材２５、３５を緩み難くして外装体１０を強固に接合している。
【００３５】
接続部材２５、３５は、パネル部材１１、１２の縦方向に所定の間隔で取付けるようにし、外装体１０の接合後に緩んだりすることがないようにする。
外装体１０を連設する場合には、上記と同様に外装体１０を胴縁１６に取付け、隣接する外装体１０、１０同士を接続して壁面を構築するようにする。
【００３６】
図４、５のように、外装体１０の外側には、装飾性を有する外壁パネル６を設け、この外壁パネル６は、アルミや金属等の材料を押出し或は引抜成形によって形成している。本実施形態においては、外壁パネル６に上向きの溝部６ａを２箇所設け、また、上下端部に凹部６ｂと、この凹部６ｂに嵌合可能な突状の突部６ｃをそれぞれ形成し、更に、内部にはリブ６ｄを設けて補強し、薄肉状に成形可能にしている。
【００３７】
レール７は、外壁パネル６を取付けるために設けたものであり、このレール７は、フレーム８に直交するようにして図示しないリベット等で固着している。フレーム８は、断面略凸形状に形成し、外装体１０の任意の位置に縦に取付けるようにし、レール７の固定時にはこのレール７の鉤部７ａが上側に開口するように取付ける。
外壁パネル６を取付けるときには、レール７の鉤部７ａに対して外壁パネル６の溝部６ａを係合するように掛設して建造物１の外壁面を構築する。
【００３８】
次に、本発明の建造物の耐火性外壁構造の上記実施形態における作用を説明する。
本発明における建造物の耐火性外壁構造は、両端部を曲折して略コ字形状に形成した突設部１３とこの突設部１３から外側に曲折して挟持片１４を形成したパネル部材１１、１２を設け、パネル部材１１、１２の挟持片１４、１４を重ねあわせるようにして一対に組合わせて外装体１０を構成しているので、同一形状による１種類のパネル部材で外装体１０を形成でき、パネル部材１１（１２）の加工時には、複雑な曲げ加工を施す必要がなく簡単な加工によって短時間で形成することができ、部品を単一化して大幅にコストを削減することができる。また、外壁２を構築する際の組立て作業も容易であり、簡単に組立て可能である。
【００３９】
外壁２は、外装体１０の内部に断熱性を有する芯材２０を内装し、隣接する外装体１０、１０の取付スペースＳに断熱部材２２を内装し、外装体１０の表裏面側から遮蔽部材３０、３０を被せた状態で接続部材２５、３５の取付部材２９、２９をそれぞれ係合させながら固定し、さらに、断熱材２１や間隙部材２３及び断熱体３３を介在させているので、これらの断熱材が外装体１０内に有機的に収納され、極めて高い耐熱性及び耐火性を発揮できる。
【００４０】
しかも、これらは、セラミックウール、或は炭酸カルシウム又はけい酸カルシウムを材料として成形しているので特に断熱性に優れ、高耐久性を有し、遮音性に優れ、また、軽量であるから壁面に加えて屋根や間仕切りなどとしても使用することができ、建造物を構成する建築部材としてあらゆる箇所に利用することができる。さらに、例えば、硬質発泡ウレタンボード等の別の断熱性を有する材料を用いて成形するようにしてもよく、この場合においても、セラミックウール等と同様の効果を発揮できる。
さらに、パネル部材１１、１２には、亜鉛メッキと結露防止剤を施しているので、耐水性に優れ、結露の発生を防ぐことができる。
【００４１】
また、外装体１０は、接続部材２５、３５を用いることで、建造物１の枠組を形成している胴縁１６に対して合理的に接合することができるので施工時の手間を省くことができ、作業に要する時間を削減することができる。この接続部材２５、３５は、簡単な構造で安価に製造することができるので、コストを削減することもできる。
【００４２】
一方、外装体１０にフレーム８を取付け、このフレーム８に固着したレール７に外壁パネル６を取付けることができるので、時間と手間をかけずに容易に建造物１にさらなる外壁面を構築することができ、しかも、各外壁パネル６毎に取り外して一つずつ交換できるので、汚れや破損などが生じた場合においても建替えやリフォーム等を行う必要がなく、コストを抑えた修復を行うことができる。
【産業上の利用可能性】
【００４３】
本考案は、外壁以外にも、内壁や屋根などの建造物を構築しているあらゆる箇所に適用することができる。
【図面の簡単な説明】
【００４４】
【図１】本考案における建造物の耐火性外壁構造の一実施形態を示した拡大断面図である。
【図２】外装体を示した一部切欠き平面図である。
【図３】外装体の取付け状態を示す斜視図である。
【図４】本考案における建造物の耐火性外壁構造の一実施形態を示した断面図である。
【図５】図４の一部拡大縦断面図である。
【図６】接続部材を示す斜視図である。
【図７】本考案における建造物の耐火性外壁構造の一実施形態を示した一部切欠き斜視図である。
【図８】胴縁の接合構造を示した要部拡大断面図である。
【図９】外装体の側面図である。
【符号の説明】
【００４５】
１  建造物
２  外壁
６  外壁パネル
６ａ  溝部
７  レール
７ａ  鉤部
８  フレーム
１０  外装体
１１、１２  パネル部材
１３  突設部
１４  挟持片
１６  胴縁
２０  芯材
２１  断熱材
２２  断熱部材
２５、３５  接続部材
２６、３６  棒状部材
２６ａ、３６ａ  おねじ（先端ねじ部）
２７、３７  止着部
２８、３８  係止部
２９  取付部材
２９ａ  装入穴
３０  遮蔽部材
３２  ナット
Ａ  間隙
Ｓ  取付スペース
【図１】
0003114716.tif 000003
【図２】
0003114716.tif 000004
【図３】
0003114716.tif 000005
【図４】
0003114716.tif 000006
【図５】
0003114716.tif 000007
【図６】
0003114716.tif 000008
【図７】
0003114716.tif 000009
【図８】
0003114716.tif 000010
【図９】
0003114716.tif 000011